(57)【要約】【課題】ヒートポンプ給湯室外機の筐体前面部が振動して筐体前面部から放射される音が、著しい低周波成分でレベル高く発生することを抑制することのできるヒートポンプ給湯室外機を提供すること。【解決手段】本発明のヒートポンプ給湯室外機１は、底部を形成するベース１７と、ベース１７上に搭載され、冷媒を圧縮する圧縮機、冷媒と水または液状熱媒体との熱交換を行う水冷媒熱交換器、および、冷媒と空気との熱交換を行う空気冷媒熱交換器を有する冷凍サイクル装置と、ベース１７上に設置され、水冷媒熱交換器を収納する水冷媒熱交換器収納容器３と、冷凍サイクル装置の少なくとも一部を覆うように設けられた筐体とを備え、筐体前面部１８と反対側の後面側に空気冷媒熱交換器が配置され、筐体前面部１８の下端１８ａの一部または全域が水冷媒熱交換器収納容器３の前面部３ａの上端３ｂとほぼ同じ高さ位置にある。【選択図】図１
2014031902.tif 000002
【特許請求の範囲】
【請求項１】
底部を形成するベースと、
前記ベース上に搭載され、冷媒を圧縮する圧縮機、前記冷媒と水または液状熱媒体との熱交換を行う水冷媒熱交換器、および、前記冷媒と空気との熱交換を行う空気冷媒熱交換器を有する冷凍サイクル装置と、
前記ベース上に設置され、前記水冷媒熱交換器を収納する水冷媒熱交換器収納容器と、
前記冷凍サイクル装置の少なくとも一部を覆うように設けられた筐体と、
を備え、
前記筐体の前面部と反対側の後面側に前記空気冷媒熱交換器が配置され、
前記筐体の前面部の下端の一部または全域が前記水冷媒熱交換器収納容器の前面部の上端とほぼ同じ高さ位置にあるヒートポンプ給湯室外機。
【請求項２】
前記筐体の前面部の下端の全域が前記水冷媒熱交換器収納容器の前面部の上端とほぼ同じ高さ位置にある請求項１記載のヒートポンプ給湯室外機。
【請求項３】
前記筐体の前面部の下端は、前記水冷媒熱交換器収納容器の前面部の上端とほぼ同じ高さ位置にある部分と、前記ベースとほぼ同じ高さ位置にある部分とを有する請求項１記載のヒートポンプ給湯室外機。
【請求項４】
前記ベース上に、前面から見て前記水冷媒熱交換器収納容器の横に前記圧縮機が配置され、
前記圧縮機が配置された箇所の前記ベースの前端と、前記筐体の前面部の下端との間に開口が形成され、該開口を塞ぐ蓋部材が着脱可能に設けられている請求項１乃至３の何れか１項記載のヒートポンプ給湯室外機。
【請求項５】
前記水冷媒熱交換器収納容器の前面部の一部または全域を覆う保護部材を備える請求項１乃至４の何れか１項記載のヒートポンプ給湯室外機。
【請求項６】
前記保護部材が着脱可能である請求項５記載のヒートポンプ給湯室外機。
【請求項７】
前記保護部材が樹脂材料で構成されている請求項５または６記載のヒートポンプ給湯室外機。
【発明の詳細な説明】
【技術分野】
【０００１】
本発明は、ヒートポンプ給湯室外機に関する。
【背景技術】
【０００２】
空気の熱を吸収して湯を沸かすことのできる、エネルギー効率に優れたヒートポンプ式給湯システムが広く用いられている。ヒートポンプ式給湯システムの構成要素であるヒートポンプ給湯室外機は、空気の熱を冷媒に吸熱させる空気冷媒熱交換器、この空気冷媒熱交換器に送風する送風機、冷媒を圧縮する圧縮機、冷媒の熱によって水を加熱する水冷媒熱交換器などを搭載している。従来のヒートポンプ給湯室外機は、底部を形成するベースの上に、水冷媒熱交換器が発泡材等の断熱容器に収納され、更に金属製の水冷媒熱交換器収納容器に収納された状態で設置される。そして、ヒートポンプ給湯室外機の筐体の前面部の下端は、ベースとほぼ同じ高さ位置とされている（例えば、特許文献１参照）。
【先行技術文献】
【特許文献】
【０００３】
【特許文献１】特開２００８−１４５００１号公報
【発明の概要】
【発明が解決しようとする課題】
【０００４】
従来のヒートポンプ給湯室外機では、筐体の各面の内、筐体前面部の面積が著しく大きく、筐体前面部の固有振動数が著しく低い。このため、圧縮機や送風機の作動時に筐体前面部が振動して筐体前面部から放射される音は、著しい低周波成分でレベル高く発生する。音は、低周波側になるほど減衰しにくい特性があり、聴感上も悪くなる場合が多いので、静粛性を著しく悪化させる等の問題点がある。
【０００５】
本発明は、上述のような課題を解決するためになされたもので、ヒートポンプ給湯室外機の筐体前面部が振動して筐体前面部から放射される音が、著しい低周波成分でレベル高く発生することを抑制することのできるヒートポンプ給湯室外機を提供することを目的とする。
【課題を解決するための手段】
【０００６】
本発明に係るヒートポンプ給湯室外機は、底部を形成するベースと、ベース上に搭載され、冷媒を圧縮する圧縮機、冷媒と水または液状熱媒体との熱交換を行う水冷媒熱交換器、および、冷媒と空気との熱交換を行う空気冷媒熱交換器を有する冷凍サイクル装置と、ベース上に設置され、水冷媒熱交換器を収納する水冷媒熱交換器収納容器と、冷凍サイクル装置の少なくとも一部を覆うように設けられた筐体と、を備え、筐体の前面部と反対側の後面側に空気冷媒熱交換器が配置され、筐体の前面部の下端の一部または全域が水冷媒熱交換器収納容器の前面部の上端とほぼ同じ高さ位置にあるものである。
【発明の効果】
【０００７】
本発明によれば、ヒートポンプ給湯室外機の筐体前面部が振動して筐体前面部から放射される音が、著しい低周波成分でレベル高く発生することを抑制することが可能となる。更に、金属材料の使用量を削減し、材料コスト、重量を低減させることができるので、静粛面、コスト面で優れたヒートポンプ給湯室外機を得ることが可能となる。
【図面の簡単な説明】
【０００８】
【図１】本発明の実施の形態１のヒートポンプ給湯室外機の外観を示す斜視図である。
【図２】本発明の実施の形態１のヒートポンプ給湯室外機の分解斜視図である。
【図３】本発明の実施の形態１のヒートポンプ給湯室外機のベース、水冷媒熱交換器および水冷媒熱交換器収納容器を示す分解斜視図である。
【図４】本発明の実施の形態２のヒートポンプ給湯室外機の外観を示す斜視図である。
【図５】本発明の実施の形態３のヒートポンプ給湯室外機のベース、水冷媒熱交換器および水冷媒熱交換器収納容器を示す分解斜視図である。
【図６】本発明の実施の形態４のヒートポンプ給湯室外機の外観を示す斜視図である。
【図７】本発明の実施の形態５のヒートポンプ給湯室外機の外観を示す斜視図である。
【発明を実施するための形態】
【０００９】
以下、図面を参照して本発明の実施の形態について説明する。なお、各図において共通する要素には、同一の符号を付して、重複する説明を省略する。
【００１０】
実施の形態１．
図１は、本発明の実施の形態１のヒートポンプ給湯室外機の外観を示す斜視図である。図２は、本発明の実施の形態１のヒートポンプ給湯室外機の分解斜視図である。なお、図１および図２中では、左下が前方、右上が後方である。図３は、本発明の実施の形態１のヒートポンプ給湯室外機のベース、水冷媒熱交換器および水冷媒熱交換器収納容器を示す分解斜視図である。
【００１１】
これらの図に示す本実施形態のヒートポンプ給湯室外機１は、空気（外気）の熱を冷媒に吸収し、圧縮機２にて圧縮されて高温高圧になった冷媒により水（または、例えば暖房用循環水等の液状熱媒体）を加熱して湯を生成可能な冷凍サイクル装置を搭載している。このようなヒートポンプ給湯室外機１は、後述する貯湯装置（図示せず）等と組み合わせて使用され、あるいは暖房用循環水を循環させる装置（図示せず）と組み合わせて使用される。
【００１２】
図１および図２に示すように、ヒートポンプ給湯室外機１の外郭は、底部を形成するベース１７と、ベース１７上に立設された筐体とで構成される。図２に示すように、ヒートポンプ給湯室外機１の外郭の内部には、右側の機械室１４と、左側の送風機室１５とが、仕切板１６により分離されて形成されている。ヒートポンプ給湯室外機１の筐体は、筐体前面部１８、筐体後面部１９、筐体上面部２０、筐体右側面部２１および筐体左側面部２２を有し、ベース１７上に搭載された冷凍サイクル装置を覆って保護するように構成されている。ベース１７および上記筐体は、金属材料で構成されていることが好ましい。
【００１３】
図示省略しているものもあるが、機械室１４には、冷媒を圧縮するための圧縮機２、冷媒を減圧するための膨張弁、これらを接続する吸入管４や吐出管５等の冷媒配管、その他の冷媒回路部品が組み込まれている。送風機室１５には、送風機６と、送風機６に隣接して空気冷媒熱交換器７とが組み込まれている。送風機室１５内は、風路確保のため大きな空間を有している。送風機室１５内の下部の、ベース１７の上面に水冷媒熱交換器８が設置されている。
【００１４】
空気冷媒熱交換器７は、送風機室１５の後面側に配置されている。筐体後面部１９は、機械室１４の後面を覆うように形成されている。空気冷媒熱交換器７の後面は、筐体後面部１９に覆われておらず、外部に露出している。
【００１５】
筐体前面部１８は、機械室１４の前面を覆う部分と、送風機室１５の前面を覆う部分とを有している。送風機室１５の前面を覆う部分における筐体前面部１８には、送風機６により送風され、空気冷媒熱交換器７を流れる空気（外気）が通過可能な開口が形成されており、この開口には格子状の部材が取り付けられる。
【００１６】
圧縮機２は、吐出管５を介して水冷媒熱交換器８の冷媒入口部と接続されている。水冷媒熱交換器８の冷媒出口部は、冷媒配管を介して膨張弁の入口部と接続されている。膨張弁の出口部は、別の冷媒配管を介して空気冷媒熱交換器７の冷媒入口部と接続されている。空気冷媒熱交換器７の冷媒出口部は、吸入管４を介して圧縮機２と接続されている。また、冷媒配管の途中に、その他の冷媒回路部品が取り付けられている場合もある。このように構成された冷媒回路の密閉空間内に所定の量の冷媒が封入されている。冷媒としては、通常、ＣＯ２冷媒が好ましく使用されている。
【００１７】
機械室１４の上方と、送風機室１５の上方の一部とには、圧縮機２、膨張弁、送風機６等を駆動制御するインバータ電源等の電気部品を収納した電気部品収納箱９が配置されている。
【００１８】
また、機械室１４内には、水冷媒熱交換器８の水入口部に接続された第一の内部水配管と、水冷媒熱交換器８の給湯出口部と接続された第二の内部水配管とを含む水回路部品が組み込まれている。ベース１７の右部および筐体右側面部２１の下部には、水入口バルブ２９および給湯出口バルブ３０が上下に並んで配置されている。第一の内部水配管は、水入口バルブ２９に接続され、第二の内部水配管は、給湯出口バルブ３０に接続されている。また、水入口バルブ２９および給湯出口バルブ３０を保護するために、サービスパネル２３が筐体右側面部２１に取り付けられている。
【００１９】
図３に示すように、送風機室１５の下方に位置するベース１７の上面には、板金材から成形された略直方体形状の収納囲部材１０が取り付けられている。板金材から成形された収納蓋部材１１は、収納囲部材１０の上部開口を塞ぐように組み付けられる。本実施形態では、収納囲部材１０および収納蓋部材１１により、略直方体形状の水冷媒熱交換器収納容器３が構成されている。水冷媒熱交換器８は、断熱性を有する断熱容器１２および断熱蓋１３に覆われた状態で、水冷媒熱交換器収納容器３内に収納されている。より具体的には、収納囲部材１０内に、例えば発泡材等で形成された略直方体形状の断熱容器１２が収納され、この断熱容器１２内に水冷媒熱交換器８が更に収納されている。断熱容器１２の上部開口は、例えば発泡材等で形成された断熱蓋１３で塞がれる。断熱蓋１３の上に収納蓋部材１１が取り付けられる。
【００２０】
図１に示すように、筐体前面部１８の下端１８ａは、水平方向に沿ってほぼ平坦な形状になっている。筐体前面部１８の下端１８ａは、全域に渡り、水冷媒熱交換器収納容器３の前面部３ａの上端３ｂとほぼ同じ高さ位置にある。すなわち、筐体前面部１８の下端１８ａと、水冷媒熱交換器収納容器３の前面部３ａの上端３ｂとは、ほぼ隙間無く隣接している。筐体前面部１８の下端１８ａは、収納囲部材１０の上端部または収納蓋部材１１に対し例えばネジ等により固定される。
【００２１】
本実施形態では、機械室１４の前面を覆う部分の筐体前面部１８の下端１８ａは、ベース１７より高い位置にあり、両者の間に開口が形成される。この開口を塞ぐ前蓋部材２４が、例えばネジ等により、着脱可能にベース１７に取り付けられている。
【００２２】
以下、本ヒートポンプ給湯室外機１の構成および動作についてより詳細に説明する。図示省略しているものもあるが、圧縮機２の内部には、冷媒の圧縮動作を行う圧縮部と、圧縮部と接続され圧縮部を駆動するモータとが組み込まれ、外部から電源供給されることによりモータと圧縮部とが所定の回転数で駆動するようになっている。また、圧縮機２は、ゴムあるいは金属コイルの成形品からなる防振マウントを介してベース１７の上面に設置される。冷媒を吸入するための吸入管４が圧縮機２に取り付けられ、冷媒を圧縮機２内部で圧縮後、吐出するための吐出管５が圧縮機２に取り付けられている。送風機６は、２〜３枚のプロペラ翼と、このプロペラ翼を回転駆動させるモータとが組み合わせられ、外部からの電源供給によりモータとプロペラ翼とが所定の回転数で回転するようになっている。送風機６のモータは支持部材２５に取り付けられ、支持部材２５は水冷媒熱交換器収納容器３あるいはベース１７に取り付けられている。膨張弁は、冷媒流路本体外側面にコイル部材が取り付けられ、コイル部材に外部から通電することにより発生する電磁作用により、内部の流路抵抗調節部を稼動させて冷媒の流路抵抗を調節し、膨張弁の冷媒上流側高圧と冷媒下流側低圧とを所定の圧力に調節している。水冷媒熱交換器８は、水配管と冷媒配管とが接合され、水配管内の水と冷媒配管内の冷媒とで熱交換が行われるようになっており、断熱容器１２に収納可能なように数回曲げ成形されている。空気冷媒熱交換器７は、複数回往復曲げ成形された長い冷媒配管に多数のアルミ薄板のフィンが密着して略平板状になっており、冷媒配管内の冷媒とフィン周辺の空気とで熱交換が行われるようになっており、送風機６による送風でフィン周辺を流れて通過する空気の風量が増やされて調節され、熱交換の量が増やされて調節されている。電気部品収納箱９は、圧縮機２、膨張弁、送風機６等を駆動制御するインバータ電源等の電気部品を収納する。インバータ電源は、圧縮機２のモータの回転数を数十ｒｐｓ（Ｈｚ）〜百ｒｐｓ（Ｈｚ）程度の所定の回転数に変化させ、また、膨張弁の開度を所定の量に変化させ、また、送風機６の回転数を数ｒｐｓ（Ｈｚ）〜数百ｒｐｓ（Ｈｚ）程度の所定の回転数に変化させるよう制御している。電気部品収納箱９右部には、外部電気配線を接続する端子台９ａが設けられ、筐体右側面部２１に取り付けられているサービスパネル２３が端子台９ａを保護している。
【００２３】
次に、ヒートポンプ給湯室外機１と貯湯装置との組み合わせ構成について説明する。図示省略しているが、ヒートポンプ給湯室外機１は、貯湯装置と組み合わされて使用される。貯湯装置には、数百リットル程度の容量の貯湯タンクと、貯湯タンク内の水を外部に送る送水ポンプとが組み込まれ、送水ポンプの入口部は貯湯タンク下部に接続された配管に接続され、送水ポンプの出口部は第一の外部水配管に接続され、貯湯タンク上部に接続された配管には第二の外部水配管が接続されている。ヒートポンプ給湯室外機１と貯湯装置とは、第一の外部水配管、第二の外部水配管および電気配線を介して接続されている。第一の外部水配管の貯湯タンク接続側と反対側は、ヒートポンプ給湯室外機１のサービスパネル２３内の水入口バルブ２９と接続される。第二の外部水配管の貯湯タンク接続側と反対側は、ヒートポンプ給湯室外機１のサービスパネル２３内の給湯出口バルブ３０と接続される。このように、ヒートポンプ給湯室外機１と貯湯装置とで給湯回路が構成されている。
【００２４】
次に、貯湯装置内の貯湯タンク内の湯量を増やすための沸き上げ運転におけるヒートポンプ給湯室外機１の動作について説明する。電気部品収納箱９に収納されたインバータ電源から圧縮機２内のモータに電源供給されるとモータが駆動し、モータと接続された圧縮機２内の圧縮部が駆動する。インバータ電源は、モータの回転数を数十ｒｐｓ（Ｈｚ）〜百ｒｐｓ（Ｈｚ）程度の所定の回転数に変化させ、冷媒が循環して行われるヒートポンプサイクルの循環速度、冷媒の流量を変化させることにより、所定の沸き上げ能力に調節制御している。また、電気部品収納箱９に収納されたインバータ電源から送風機６のモータに電源供給されるとモータが駆動し、モータと接続された送風機のプロペラ翼が回転駆動する。インバータ電源は、モータの回転数を数ｒｐｓ（Ｈｚ）〜数百ｒｐｓ（Ｈｚ）程度に変化させ、空気冷媒熱交換器７を通過する空気の流量を変化させることにより、空気冷媒熱交換器７での冷媒と空気の熱交換量を所定の量に調節制御している。空気は、送風機６の後方に設置された空気冷媒熱交換器７の後方から吸い込まれ、空気冷媒熱交換器７を通過し、筐体前面部１８に形成された開口を通って、前方へ排出される。
【００２５】
また、電気部品収納箱９に収納されたインバータ電源から膨張弁の冷媒流路本体外側面に取り付けられたコイル部材に通電されると、冷媒流路本体内部の流路抵抗調節部が稼動して冷媒の流路抵抗度を調節し、膨張弁の上流側高圧と下流側低圧の冷媒を所定の圧力に調節制御している。圧縮機２の回転数、送風機６の回転数、膨張弁の流路抵抗度は、ヒートポンプ給湯室外機１の設置環境、使用環境に応じて制御される。圧縮機２内の圧縮部が駆動すると圧縮部内で冷媒の圧縮動作が行われ、低圧冷媒は吸入管４から圧縮機２に吸入される。低圧冷媒は圧縮機２内の圧縮部で高温高圧冷媒に圧縮され、圧縮機２から吐出管５に吐出され、高温高圧冷媒は吐出管５から水冷媒熱交換器８の冷媒入口部に流入し、高温高圧冷媒は水冷媒熱交換器８で低温水と熱交換し、低温水を加熱して高温湯を生成させる。高温高圧冷媒は水冷媒熱交換器８でエンタルピを低下させ、温度を低下させて水冷媒熱交換器８の冷媒出口部から膨張弁の入口部に流入する。高圧冷媒は膨張弁で所定の圧力に減圧され温度降下し低温低圧冷媒となり膨張弁の出口部から空気冷媒熱交換器７入口部に流入する。低温低圧冷媒は空気冷媒熱交換器７で空気と熱交換し、エンタルピを増加させ、空気冷媒熱交換器７の出口部から吸入管４に流入し、圧縮機２に吸入される。このように冷媒が循環してヒートポンプサイクルが行われる。同時に、貯湯装置内の水ポンプにより貯湯装置内の貯湯タンク内下部の低温水が第一の外部水配管を通り、ヒートポンプ給湯室外機１の水入口バルブ２９を介して第一の内部水配管に流入し、水冷媒熱交換器８の水入口部に流入し、水冷媒熱交換器８で冷媒と熱交換し加熱されて高温湯に生成される。生成された高温湯は水冷媒熱交換器８の給湯出口部から第二の内部水配管に流入し、給湯出口バルブ３０を介して第二の外部水配管を通り、貯湯装置内の貯湯タンク上部に戻される。このようにして、貯湯タンク内の高温湯の量が増やされる。
【００２６】
次に、圧縮機２および送風機６の動作と、ヒートポンプ給湯室外機１の低周波音発生について説明する。圧縮機２内の圧縮部が数十ｒｐｓ（Ｈｚ）〜百ｒｐｓ（Ｈｚ）の回転数で駆動し、圧縮部内で冷媒の圧縮動作が行われる時、冷媒の圧力変動および内部可動部品の動作により、圧縮機２には上下方向、横方向等いくつかの方向のそれぞれ並進振動、回転振動が発生し、その周波数成分は、回転数の整数倍で、低い倍数の周波数成分、すなわち低周波成分が大きく発生する。圧縮機２の振動は、防振マウントを介してベース１７に伝達し、吸入管４、吐出管５から接続先の空気冷媒熱交換器７、水冷媒熱交換器８に伝達し、筐体前面部１８を含む筐体の各面に伝達し、筐体からの低周波音放射の原因となる。また、送風機６のモータが数ｒｐｓ（Ｈｚ）〜数百ｒｐｓ（Ｈｚ）の回転数で駆動すると、送風機６にも圧縮機２と同様に回転数の整数倍で、低い倍数の周波数成分、すなわち低周波成分が大きく発生する。送風機６の振動は、支持部材２５から水冷媒熱交換器収納容器３あるいはベース１７に伝達し、筐体前面部１８を含む筐体各面に伝達し、筐体各面が振動して筐体各面から低周波音が放射される原因となる。
【００２７】
一般に、筐体の各面のうち、筐体前面部１８は、面積が最大であり、固有振動数が最小となる。このため、以上のような低周波振動が原因の音のうち、筐体前面部１８から放射される音が最も低周波成分でレベル高く発生し易い傾向がある。これに対し、本実施形態のヒートポンプ給湯室外機１では、筐体前面部１８の下端１８ａの全域を、水冷媒熱交換器収納容器３の前面部３ａの上端３ｂとほぼ同じ高さ位置としたことにより、筐体前面部１８の面積を抑制することができ、筐体前面部１８の固有振動数の低下を有効に抑制することができる。その結果、筐体前面部１８が振動して筐体前面部１８から放射される音が、著しい低周波成分でレベル高く発生することを抑制できる。更に、筐体前面部１８の面積を抑制することにより、金属材料の使用量を削減し、材料コストおよび重量を低減させることができる。
【００２８】
また、本実施形態では、前蓋部材２４は、ネジによりベース１７に取り付けられており、ヒートポンプ給湯室外機１から簡単に取り外し可能となっている。ヒートポンプ給湯室外機１の点検や修理を行う際には、この前蓋部材２４を取り外すことにより、機械室１４の前面を覆う部分の筐体前面部１８の下端１８ａと、ベース１７との間に開口が形成されるので、機械室１４の下部を視認したり手や工具を入れたりすることができる。このため、機械室１４の下部のみで点検あるいは修理が可能な場合は、筐体前面部１８を取り外すことなく、容易に点検あるいは修理が可能となる。また、本実施形態では、筐体前面部１８の下端１８ａが全域に渡り平坦な形状とされているので、点検あるいは修理の際に筐体前面部１８を取り外したときに、取り外した筐体前面部１８を地面等に安定して置くことができる。
【００２９】
以上説明したように、本実施形態によれば、ヒートポンプ給湯室外機１の作動時の音が低周波側にシフトすることを有効に抑制する効果があり、音の減衰特性と聴感とを考慮して静粛面で優れたヒートポンプ給湯室外機１を得ることができる。一般に、給湯を行うヒートポンプ給湯室外機は、深夜電力を利用して作動する場合が多く、深夜の騒音や低周波音には使用者の関心が高い。また、ＣＯ２冷媒を使用したヒートポンプ給湯室外機は、Ｒ４１０Ａ冷媒を使用したヒートポンプ空調機と比較して、使用者および近隣に不快感を与える場合があったが、それらを抑制するという課題に対し、本実施形態による低周波音特性の効果は著しく貢献する。
【００３０】
実施の形態２．
次に、図４を参照して、本発明の実施の形態２について説明するが、上述した実施の形態１との相違点を中心に説明し、同一部分または相当部分は同一符号を付し説明を省略する。図４は、本発明の実施の形態２のヒートポンプ給湯室外機の外観を示す斜視図である。
【００３１】
図４に示すように、本実施の形態２のヒートポンプ給湯室外機１Ａでは、前蓋部材２４に代えて、筐体右側面部２１を一部延長して前面に折り曲げた前面折り曲げ部２１ａを設けている。この前面折り曲げ部２１ａにより、機械室１４の前面の下部が覆われている。筐体前面部１８の構成は、実施の形態１と同様である。本実施の形態２によれば、実施の形態１と同様に、筐体前面部１８の面積を抑制し、筐体前面部１８の固有振動数の低下を抑制できるので、筐体前面部１８が振動して筐体前面部１８から放射される音が、著しい低周波成分でレベル高く発生することを抑制できる。更に、金属材料の使用量を削減し、材料コスト、重量を低減させることができる。また、本実施の形態２によれば、前蓋部材２４を省略することができるので、実施の形態１に対し、部品数の増加を抑制し、組立コストの増加を抑制することができる。
【００３２】
実施の形態３．
次に、図５を参照して、本発明の実施の形態３について説明するが、上述した実施の形態１との相違点を中心に説明し、同一部分または相当部分は同一符号を付し説明を省略する。図５は、本発明の実施の形態３のヒートポンプ給湯室外機のベース、水冷媒熱交換器および水冷媒熱交換器収納容器を示す分解斜視図である。
【００３３】
図５に示すように、本実施の形態３では、水冷媒熱交換器収納容器３（収納囲部材１０）の前面部３ａを機械室１４側に延長した前面延長部３ｃを設けている。この前面延長部３ｃにより、機械室１４の前面の下部が覆われている。筐体前面部１８の構成は、実施の形態１と同様である。本実施の形態３によれば、実施の形態１と同様に、筐体前面部１８の面積を抑制し、筐体前面部１８の固有振動数の低下を抑制できるので、筐体前面部１８が振動して筐体前面部１８から放射される音が、著しい低周波成分でレベル高く発生することを抑制できる。更に、金属材料の使用量を削減し、材料コスト、重量を低減させることができる。また、本実施の形態３によれば、前蓋部材２４を省略することができるので、実施の形態１に対し、部品数の増加を抑制し、組立コストの増加を抑制することができる。
【００３４】
実施の形態４．
次に、図６を参照して、本発明の実施の形態４について説明するが、上述した実施の形態１との相違点を中心に説明し、同一部分または相当部分は同一符号を付し説明を省略する。図６は、本発明の実施の形態４のヒートポンプ給湯室外機の外観を示す斜視図である。
【００３５】
図６に示すように、本実施の形態４のヒートポンプ給湯室外機１Ｂでは、送風機室１５の前面を覆う部分の筐体前面部１８の下端１８ｃは、水冷媒熱交換器収納容器３の前面部３ａの上端３ｂとほぼ同じ高さ位置にある一方で、機械室１４の前面を覆う部分の筐体前面部１８の下端１８ｄは、ベース１７とほぼ同じ高さ位置にある。すなわち、筐体前面部１８は、その機械室１４側の部分が送風機室１５側の部分よりも下方に延長された機械室側延長部１８ｂを有しており、その下端１８ｃ，１８ｄの間に段差がある形状となっている。この機械室側延長部１８ｂにより、機械室１４の前面の下部が覆われている。筐体前面部１８の送風機室１５側の下端１８ｃは、収納囲部材１０の上端部または収納蓋部材１１に対し例えばネジ等により固定される。また、筐体前面部１８の機械室１４側の下端１８ｄは、ベース１７に対し例えばネジ等により固定される。
【００３６】
本実施の形態４のヒートポンプ給湯室外機１Ｂによれば、筐体前面部１８の下端の一部（下端１８ｃ）が水冷媒熱交換器収納容器３の前面部３ａの上端３ｂとほぼ同じ高さ位置にあることにより、筐体前面部１８の下端の全域がベース１７とほぼ同じ高さ位置にある構成と比べて、筐体前面部１８の面積を抑制し、筐体前面部１８の固有振動数の低下を抑制できる。このため、筐体前面部１８が振動して筐体前面部１８から放射される音が、著しい低周波成分でレベル高く発生することを抑制できる。更に、金属材料の使用量を削減し、材料コスト、重量を低減させることができる。また、本実施の形態４によれば、前蓋部材２４を省略することができるので、実施の形態１に対し、部品数の増加を抑制し、組立コストの増加を抑制することができる。
【００３７】
なお、本実施の形態４のように、筐体前面部１８の下端の一部（下端１８ｃ）が水冷媒熱交換器収納容器３の前面部３ａの上端３ｂとほぼ同じ高さ位置にあり、筐体前面部１８の下端の他の部分（下端１８ｄ）がそれより下方（ベース１７とほぼ同じ高さ位置）まで延長されている構成の場合には、図６に示すように、水冷媒熱交換器収納容器３の前面部３ａの上端３ｂとほぼ同じ高さ位置にある部分（下端１８ｃ）が、筐体前面部１８の下端の全長の過半を占めるようにすることが好ましい。これにより、筐体前面部１８の面積を十分に抑制することができ、上記効果をより確実に得ることができる。
【００３８】
実施の形態５．
次に、図７を参照して、本発明の実施の形態５について説明するが、上述した実施の形態１との相違点を中心に説明し、同一部分または相当部分は同一符号を付し説明を省略する。図７は、本発明の実施の形態５のヒートポンプ給湯室外機の外観を示す斜視図である。
【００３９】
図７に示すように、本実施の形態５のヒートポンプ給湯室外機１Ｃでは、水冷媒熱交換器収納容器の前面部３ａに板状の保護部材２６を取り付けている。水冷媒熱交換器収納容器の前面部３ａの一部または全域（図示の構成ではほぼ全域）は、保護部材２６により覆われている。筐体前面部１８の構成は、実施の形態１と同様である。本実施の形態５によれば、実施の形態１と同様に、筐体前面部１８の面積を抑制し、筐体前面部１８の固有振動数の低下を抑制できるので、筐体前面部１８が振動して筐体前面部１８から放射される音が、著しい低周波成分でレベル高く発生することを抑制できる。更に、金属材料の使用量を削減し、材料コスト、重量を低減させることができる。また、保護部材２６を設けたことにより、水冷媒熱交換器収納容器の前面部３ａに小傷や汚れが付くことを防止することができる。
【００４０】
保護部材２６は、樹脂材料で構成されていることが好ましい。これにより、材料コストおよび重量を低減することができる。また、保護部材２６は、例えばネジ、または嵌め合い等により、着脱可能に取り付けられていることが好ましい。これにより、保護部材２６に著しい傷や汚れが付いたり保護部材２６が損傷したりした等の場合に、水冷媒熱交換器収納容器３の前面部３ａから保護部材２６を容易に取り外して交換可能になるため、部品交換に要するコストを低減することができる。
【符号の説明】
【００４１】
１，１Ａ，１Ｂ，１Ｃ  ヒートポンプ給湯室外機、２  圧縮機、
３  水冷媒熱交換器収納容器、３ａ  前面部、３ｂ  上端、３ｃ  前面延長部、
４  吸入管、５  吐出管、６  送風機、７  空気冷媒熱交換器、８  水冷媒熱交換器、
９  電気部品収納箱、９ａ  端子台、１０  収納囲部材、１１  収納蓋部材、
１２  断熱容器、１３  断熱蓋、１４  機械室、１５  送風機室、１６  仕切板、
１７  ベース、１８  筐体前面部、１８ａ，１８ｃ，１８ｄ  下端、
１８ｂ  機械室側延長部、１９  筐体後面部、２０  筐体上面部、２１  筐体右側面部、
２１ａ  前面折り曲げ部、２２  筐体左側面部、２３  サービスパネル、
２４  前蓋部材、２５  支持部材、２６  保護部材、２９  水入口バルブ、
３０  給湯出口バルブ
【図１】
2014031902.tif 000003
【図２】
2014031902.tif 000004
【図３】
2014031902.tif 000005
【図４】
2014031902.tif 000006
【図５】
2014031902.tif 000007
【図６】
2014031902.tif 000008
【図７】
2014031902.tif 000009